(57)【要約】【課題】簡単な構成でコネクタを搭載した回路基板を筐体に安定して取り付けできる電気部品取付装置を備えた記録再生装置を提供する。【解決手段】回路基板５０２を取り付ける基板取付片５３２と、鋼板製の筐体３００の下ケース３１０の正面板部３１２の上縁にねじ止めにて取り付ける支持板部および正面板部３１２を支持板部と挾持する係止爪部と、筐体３００の上ケース３２０の折曲片３２２を厚さ方向で挾持する切り込み凹部５３６を有した連結片部５３４とを有した電気部品取付装置５００を、鋼板の折曲形成で一連に形成する。下ケース３１０および上ケース３２０にそれぞれ取り付け固定でき、ケーブルの接続や取り外し時の押し込み力や引き抜き力が作用しても、安定した固定状態を提供できる。【選択図】図５
2009093847.tif 000002
【特許請求の範囲】
【請求項１】
接点を有する電気部品が取り付けられ、電子機器を収容する筐体に取り付けられる電気部品取付装置であって、
前記筐体は、底板部およびこの底板部から略垂直に形成された側面部を有し上面を開放する下ケースと、この下ケースの上面の少なくとも一部を閉塞して前記下ケースに取り付けられる上ケースとを有し、内部に前記電子機器を収容する収容空間を有した略箱状に形成されたものであり、
前記電気部品が取り付けられる電気部品取付部と、
前記下ケースの側面部の折曲位置に対する先端縁近傍に取り付けられる支持部と、
前記支持部が取り付けられる前記側面部に対応する位置で前記底板部に向けて前記上ケースに折曲形成された折曲片を厚さ方向で挾持する状態に前記折曲片が挿入される凹部を有した連結部と、
を具備したことを特徴とした電気部品取付装置。
【請求項２】
請求項１に記載の電気部品取付装置であって、
前記電気部品は、コネクタである
ことを特徴とした電気部品取付装置。
【請求項３】
請求項１または請求項２に記載の電気部品取付装置であって、
前記筐体は、鋼板にて折曲形成され、
前記電気部品取付部、前記支持部および前記連結部は、鋼板にて一連に折曲形成された
ことを特徴とした電気部品取付装置。
【請求項４】
請求項１ないし請求項３のいずれかに記載の電気部品取付装置であって、
前記支持部は、前記側面部にねじにて取付固定される
ことを特徴とした電気部品取付装置。
【請求項５】
請求項１ないし請求項４のいずれかに記載の電気部品取付装置であって、
前記支持部は、前記筐体内に収容される電子機器に対して前記底板部から離間する方向側に位置して前記側面部に取り付けられた
ことを特徴とした電気部品取付装置。
【請求項６】
請求項１ないし請求項５のいずれかに記載の電気部品取付装置であって、
前記連結部の凹部は、前記上ケースの折曲片が挿入される側の開口縁に挿入方向に向けて拡開する状態の案内縁を有した
ことを特徴とした電気部品取付装置。
【請求項７】
底板部およびこの底板部から略垂直に折曲形成された側面部を有し上面を開放する下ケースと、この下ケースの上面の少なくとも一部を閉塞して前記下ケースに取り付けられる上ケースとを有し、内部に収容空間を有した略箱状に形成された筐体と、
この筐体内の収容空間内に収容された電子機器と、
請求項１ないし請求項６のいずれかに記載の電気部品取付装置と、
を具備したことを特徴とした電気機器。
【発明の詳細な説明】
【技術分野】
【０００１】
本発明は、筐体に接点を有する電気部品が取り付けられる電気部品取付装置およびこの電気部品取付装置を備えた電気機器に関する。
【背景技術】
【０００２】
従来、ＤＶＤ（Digital Versatile Disc）を用いた装置、ビデオデッキ、ゲーム機器、その他の電気機器において、操作上必要なボタン式、回転式、スライド式の接点を有するスイッチ、電源または他の機器との接続に必要な複数の接点を有する端子やコネクタなどが、機器本体の正面などの操作面に位置して配設され、さらにスイッチや端子、コネクタなどをカバーが開放可能に覆う構成が採られている（例えば、特許文献１参照）。
この特許文献１などに記載のような従来の電気機器では、例えば光ディスクドライブなどの他の機器の配置関係、回路基板との接続関係などにより、機器本体の底面側に配設されている。そして、このような電気機器では、例えば図１に示すように、機器本体１０の筐体１１の底板から正面に折曲形成された正面板１２の底面側に、開口１３を設け、この開口１３に位置してコネクタ１４などが搭載された回路基板１５を取り付けた取付金具１６を取り付けている。
【０００３】
【特許文献１】特開2006-120704号公報
【発明の開示】
【発明が解決しようとする課題】
【０００４】
ところで、特許文献１および図１などに記載の従来の構成、すなわち利用者が操作するスイッチ、各種ケーブルが利用者により着脱可能に接続される端子やコネクタ１４などが、機器本体１０の底面側に位置する構成では、電気機器を載置する載置面と利用者の操作位置とが近く、操作しにくい不都合がある。さらには、適切に操作できず、スイッチや端子あるいはコネクタ１４に、電気機器の前後方向ではない斜め上方からの不適切な操作力が作用し、スイッチや端子あるいはコネクタ１４、またはこれらを搭載する回路基板１５などを損傷するおそれがある。
一方、操作性を考慮し、載置面が離れる機器本体１０の上方に位置する状態で取付金具１６を取り付けることも考えられる。しかしながら、このような構成では、取付金具１６が取り付けられる位置が、正面板１２の底板に対して折曲された位置から離間する状態となり、利用者による操作力により、正面板が撓みやすくなる。このことにより、操作時の押圧力に応じてスイッチや端子あるいはコネクタ１４などが奥に逃げる状態となったり、ケーブルの引き抜き時の引張力に応じて端子やコネクタ１４が手前に引っ張られる状態となったりして、操作性が損なわれたり、利用者に対して電気機器の脆弱感を与えてしまう不都合などを生じるおそれがある。さらには、正面板１２が撓むことを防止するための補強を別途設ける必要があり、構成が複雑となり、製造性が損なわれるおそれもある。
【０００５】
本発明は、このような点などを鑑み、簡単な構成で接点を有した電気部品を筐体に安定して取り付けできる電気部品取付装置、およびこの電気部品取付装置を備えた電気機器を提供することを一つの目的とする。
【課題を解決するための手段】
【０００６】
請求項１に記載の発明は、接点を有する電気部品が取り付けられ、電子機器を収容する筐体に取り付けられる電気部品取付装置であって、前記筐体は、底板部およびこの底板部から略垂直に折曲形成された側面部を有し上面を開放する下ケースと、この下ケースの上面の少なくとも一部を閉塞して前記下ケースに取り付けられる上ケースとを有し、内部に前記電子部品を収容する収容空間を有した略箱状に形成されたものであり、前記電気部品が取り付けられる電気部品取付部と、前記下ケースの側面部の折曲位置に対する先端縁近傍に取り付けられる支持部と、前記上ケースの前記支持部が取り付けられる側面部に対応する位置に前記底板部に向けて折曲された折曲片を厚さ方向で挾持する状態に前記折曲片が挿入される凹部を有した連結部と、を具備したことを特徴とした電気部品取付装置である。
【０００７】
請求項７に記載の発明は、底板部およびこの底板部から略垂直に折曲形成された側面部を有し上面を開放する下ケースと、この下ケースの上面の少なくとも一部を閉塞して前記下ケースに取り付けられる上ケースとを有し、内部に収容空間を有した略箱状に形成された筐体と、この筐体内の収容空間内に収容された電子機器と、請求項１ないし請求項６のいずれかに記載の電気部品取付装置と、を具備したことを特徴とした電気機器である。
【発明を実施するための最良の形態】
【０００８】
以下、本発明の一実施形態を図面に基づいて説明する。
図２は、本実施形態に係る電気機器としての記録再生装置を示す斜視図である。図３は、記録再生装置の分解斜視図である。図４は、記録再生装置の開閉蓋体を省略した正面図である。図５は、筐体の正面部分を示す一部を切り欠いた斜視図である。図６は、パネル部が取り付けられた筐体の背面側からの視点で正面中央部分を示す一部を切り欠いた斜視図である。図７は、カバー体の天井部を構成する中央に位置する取付部材を示す斜視図である。図８は、カバー体の天井部を構成する一側に位置する取付部材を示す斜視図である。図９は、カバー体の天井部を構成する他側に位置する取付部材を示す斜視図である。図１０は、カバー体の天井部を構成する化粧天板を示す側面図である。図１１は、カバー体の側壁部を構成する側壁取付部材を示す斜視図である。
【０００９】
［電子機器の構成］
図２において、１００は電気機器としての例えば記録再生装置で、この記録再生装置１００はＴＶ映像データや撮像データなどの画像データや音声データなどを再生、さらには再生可能に記録するものである。
この記録再生装置１００は、図２ないし図４に示すように、ケース体２００と、このケース体内に収容される電子機器２１０と、を備えている。また、ケース体２００は、筐体３００と、カバー体４００と、を備えている。
【００１０】
｛ケース体の構成｝
筐体３００は、図３ないし図５に示すように、内部に収容空間３０１を区画形成する上下方向で薄型の扁平矩形の箱状に形成されている。この筐体３００は、導電性を有する例えば鋼板にて折曲形成された、下ケース３１０と、上ケース３２０と、を備えている。
下ケース３１０は、略四角平板状の底板部３１１を有している。この底板部３１１の一縁には、略垂直に折曲形成された側面部としての正面板部３１２が一連に設けられている。また、底板部３１１における正面板部３１２に隣接する両側縁には、正面板部３１２と同方向に略垂直に折曲形成された側面部としても機能し得る側面板部３１３が一連に設けられている。さらに、底板部３１１における正面板部３１２に対向する一縁には、正面板部３１２と同方向に略垂直に折曲形成された側面部としても機能し得る図示しない背面板部が一連に設けられている。そして、下ケース３１０は、正面板部３１２と側面板部３１３とが連結され、側面板部３１３と背面板部とが連結され、上面を開放する略箱状に形成されている。
ここで、本発明の側面部としては、電気機器が載置された状態における上下方向の面である天面および底面以外の周面に位置する面が対象である。
さらに、下ケース３１０の正面板部３１２における折曲位置に対する先端縁、すなわち折曲側となる上下方向の上縁で、上下方向の一側には、上下方向に沿った一対の図示しないスリットが切欠形成されている。さらに、正面板部３１２には、スリット間に位置して図示しない一対のねじ孔が設けられている。
上ケース３２０は、略四角平板状の天板部３２１を有している。この天板部３２１の一縁には、略垂直に折曲された折曲片３２２が一連に設けられている。また、天板部３２１における折曲片３２２に隣接する両側縁には、折曲片３２２と同方向に略垂直に折曲形成された側板部３２３が一連に設けられている。さらに、天板部３２１における折曲片３２２に対向する一縁には、折曲片３２２と同方向に略垂直に折曲形成された図示しない背板部が一連に設けられている。また、天板部３２１には、折曲片３２２が折曲する側に向けて係合凹部３２４が所定の位置に複数設けられている。これら係合凹部３２４には、天板部３２１に対して折曲片３２２が設けられる側となる正面側の開口縁には、係合凹部３２４内と天板部３２１における折曲片３２２が折曲する側の面とを連通する係合開口３２５が開口形成されている。さらに、側板部３２３には、所定の位置に複数の取付開口部３２６が開口形成されている。
そして、上ケース３２０は、背板部が下ケース３１０の背面板部に当接されるとともに、側板部３２３が下ケース３１０の側面板部３１３に重なりあってねじ止めされ、下ケース３１０の上面を略閉塞する状態に取り付けられる。この下ケース３１０および上ケース３２０の取り付けにより、内部に収容空間３０１を区画形成して扁平矩形の略箱状に筐体３００が組立形成される。
そして、筐体３００の収容空間３０１内には、例えばＣＤ（Compact Disc）やＤＶＤ（Digital Versatile Disc）などの光ディスク、光磁気（ＭＯ：Magneto Optical）ディスクなどのディスクドライブ、ハードディスク（ＨＤ：Hard Disk）ドライブ、電源回路、制御回路などの各種の図示しない電子機器２１０が収容される。
また、筐体３００には、詳細は後述する電気部品取付装置５００（図５および図１２ないし図１４参照）が一体的に取り付けられている。
【００１１】
カバー体４００は、図２および図３に示すように、蓋体４１１を備えたパネル部４１０と、天井部４２０と、側壁部４３０と、を備えている。
パネル部４１０は、電気部品取付装置５００が取り付けられた筐体３００の正面板部３１２が位置する側である正面側を覆う状態に取り付けられる。このパネル部４１０は、例えばＡＢＳ（Acrylonitrile-Butadiene-Styrene）などの比較的に加工性がよくかつ機械的強度が高い合成樹脂にて形成され、筐体３００の上ケース３２０側となる上側が前方に向けて段差状に突出するように形成されている。そして、このパネル部４１０には、正面上側を開放状態または覆う状態に、蓋体４１１が回動可能に軸支されている。蓋体４１１は、例えば、アクリル板とこのアクリル板の一面に接着などにより一体的に取り付けられたＡＢＳ製の板部材とにて構成され、板部材に設けられた軸支部材がパネル部４１０に回動自在に軸支されている。
また、パネル部４１０には、図６に示すように、上部略中央に位置して、背面側となる後方に向けて開口する扁平状のスリット係合部４１２が設けられている。さらに、パネル部４１０には、図３に示すように、上部で長手方向の両端部である両側部に位置して、凹状に切欠形成された係合切欠部４１３がそれぞれ設けられている。また、パネル部４１０には、図３に示すように、長手方向の両端部である側部における筐体３００側の縁には、凹状に切欠形成された係合切欠凹部４１４がそれぞれ設けられている。
【００１２】
天井部４２０は、例えばアクリル板にて形成された天井板４２１と、この天井板４２１に一体的に取り付けられた例えばＡＢＳなどにて形成された取付部材４２２Ａ，４２２Ｂ，４２２Ｃと、例えばアルミニウム合金やマグネシウム合金などの金属製で略長方形板状の化粧天板４２３と、を備えている。
【００１３】
取付部材４２２Ａは、図３および図７に示すように、長手方向の一端部に、取付部材４２２Ａの厚さ方向で所定の段差を有して長手方向に沿って延出し、パネル部４１０のスリット係合部４１２に係合される中央取付係止片４２５Ａが設けられている。この中央取付係止片４２５Ａの幅寸法は、スリット係合部４１２の幅寸法と略同寸法に形成されている。また、取付部材４２２Ａの長手方向の他端部には、取付ねじ孔４２６Ａを有し長手方向に延出する状態に中央取付舌片部４２７Ａが一連に形成されている。また、取付部材４２２Ａには、中央取付係止片４２５Ａが延出する側に段差状に突出され、筐体３００の上ケース３２０の係合開口３２５に係合される中央取付鈎部４２８Ａが設けられている。
取付部材４２２Ｂは、図３および図８に示すように、取付部材４２２Ａと同様に、長手方向の一端部に、パネル部４１０の係合切欠部４１３に係合される取付係止片４２５Ｂが段差状に設けられている。また、取付部材４２２Ｂの長手方向の他端部には、取付ねじ孔４２６Ｂを有した取付舌片部４２７Ｂが一連に形成されている。また、取付部材４２２Ｂには、筐体３００の上ケース３２０の係合開口３２５に係合される取付鈎部４２８Ｂが段差状に設けられている。
同様に、取付部材４２２Ｃは、図３および図９に示すように、パネル部４１０の係合切欠部４１３に係合される取付係止片４２５Ｃと、取付ねじ孔４２６Ｃを有した取付舌片部４２７Ｃと、筐体３００の上ケース３２０の係合開口３２５に係合される取付鈎部４２８Ｃとが設けられている。
そして、取付部材４２２Ａ，４２２Ｂ，４２２Ｃは、天井板４２１の一面側に、天井板４２１の幅方向となる前後方向に長手方向がそれぞれ略平行で取付部材４２２Ａが略中央に位置する状態に、接着などにより並列に一体的に取り付けられている。これら取り付けられた状態では、それぞれ中央取付舌片部４２７Ａおよび取付舌片部４２７Ｂ，４２７Ｃが天井板４２１より露出する状態となっている。
【００１４】
化粧天板４２３は、図２、図３および図１０に示すように、長手方向が天井板４２１の長手方向と略同寸法の長方形板状に形成されている。
そして、化粧天板４２３の長手方向の一側縁には、天井板４２１の長手方向の一縁に係合する引っ掛け爪部４２３Ａが段差状に側方に向けて突設されている。さらに、化粧天板４２３の長手方向の他側縁には、引っ掛け爪部４２３Ａが突出する側に向けて略垂直に折曲形成され、筐体３００の上ケース３２０の背板部に重ね合わされてねじ止めされるねじ止め片部４２３Ｂが一連に設けられている。
【００１５】
側壁部４３０は、図３に示すように、筐体３００における側面板部３１３および側板部３２３を覆うように筐体３００の側面に取り付けられる。この側壁部４３０は、例えばアクリル板にて形成された側壁板４３１と、この側壁板４３１の一面側に例えばＡＢＳなどにて形成された側壁取付部材４３２とを有している。
側壁取付部材４３２は、図３および図１１に示すように、長手方向の一端側に長手方向に沿って突出し、パネル部４１０の係合切欠凹部４１４に係合される側壁係止片部４３２Ａが設けられている。さらに、側壁取付部材４３２には、長手方向の他端には、側壁板４３１が取り付けられる側と反対側に向けて略垂直に舌片状に突設され、筐体３００の背面に当接してねじ止めされる側壁取付片部４３２Ｂが設けられている。また、側壁取付部材４３２には、側壁板４３１が取り付けられる側と反対側に向けて段差状で、側壁係止片部４３２Ａが突出する側に断面略Ｌ字状で、筐体３００の取付開口部３２６に係合される側壁係止爪部４３２Ｃが複数設けられている。
【００１６】
｛電気部品取付装置の構成｝
次に、筐体３００に一体的に取り付けられる電気部品取付装置５００の構成を、図面を参照して説明する。
図１２は、電気部品取付装置を示す斜視図である。図１３は、筐体の下ケースに取り付けられた電気部品取付装置の状態における筐体の正面部分を示す一部を切り欠いた側面図である。図１４は、電気部品取付装置が取り付けられた筐体の正面部分を示す一部を切り介した側面図である。
【００１７】
電気部品取付装置５００は、図５および図１２に示すように、接点を有する電気部品であるコネクタ５０１が搭載された回路基板５０２が取り付けられ、筐体３００に一体的に取り付けられる。
ここで言う本発明の接点とは、電気機器である記録再生装置１００の筐体３００に取り付けられる他の機器との接続用に用いられる端子やコネクタ５０１、あるいは機器操作に用いられる操作子である。前者は、配線、ケーブルなどを用いて本機器と他の機器、電気機器などと接続して、情報の送受信や電源供給などに用いるためのものである。後者は、操作者が本機器の動作入力に用いるボタン、スイッチ、エンコーダ、フェーダなどの入力デバイスなどを指す。
【００１８】
そして、電気部品取付装置５００は、導電性を有する例えば鋼板にて折曲形成されている。
電気部品取付装置５００は、略長方形板状の平板部５１０を有している。この平板部５１０の長手方向の一縁には、略垂直に折曲形成された支持板部５１１が一連に設けられている。この支持板部５１１には、下ケース３１０の正面板部３１２のねじ孔に対応してねじ挿通孔５１２が設けられている。さらに、支持板部５１１の長手方向となる幅方向の両端縁には、支持板部５１１に対して平板部５１０が位置する側と反対側にそれぞれ同方向に略垂直に折曲形成された係止片部５１３が一連に設けられている。これら係止片部５１３の先端縁は、支持板部５１１が平板部５１０に対して折曲する側に向けて延出する係止爪部５１４が一連に設けられている。これら互いに対向する係止爪部５１４の一縁と支持板部５１１の一面との間の寸法は、下ケース３１０の正面板部３１２の厚さ寸法と略同寸法に形成されている。なお、係止爪部５１４の先端側は、支持板部５１１の一面との対向距離が次第に広がる状態に幅狭に形成、すなわち係止爪部５１４の支持板部５１１に対向する縁に先端に向けて拡開する状態に傾斜する傾斜縁５１５が形成されている。
そして、支持板部５１１と、係止爪部５１４を有する係止片部５１３とにより、本発明の支持部が構成される。
また、平板部５１０における支持板部５１１が折曲形成された縁と反対側の一縁には、支持板部５１１が折曲形成された側と反対側に向けて略垂直にコネクタ５０１を保持するコネクタ保持片５２１と、補強片５２２とが並列する状態に一連に設けられている。
【００１９】
さらに、平板部５１０の長手方向の両端縁には、それぞれコネクタ保持片５２１の同方向に折曲形成された保持板部５３０が一連に設けられている。なお、一方の保持板部５３０は、段差状に折曲形成されている。
これら保持板部５３０には、平板部５１０に対して支持板部５１１が位置する側に向けて支持板部５１１の平面に略平行に延出する保持片部５３１が一連に設けられている。さらに、これら保持片部５３１には、延出方向における一縁で、保持板部５３０が折曲する側の縁には、保持板部５３０の互いに対向する方向と反対側である外方に向けて略垂直に折曲形成された基板取付片５３２が一連に設けられている。そして、これら基板取付片５３２には、回路基板５０２に設けられた図示しないねじ孔を介してねじ止めされる基板取付ねじ孔５３３が設けられている。
そして、保持片部５３１と、基板取付片５３２とにより、本発明の電気部品取付部が構成される。
【００２０】
また、保持板部５３０の先端部には、保持片部５３１が延出する側に向けて略平行に延出する連結部としての連結片部５３４がそれぞれ一連に設けられている。これら連結片部５３４には、延出する方向における先端側一縁で、保持板部５３０が折曲する側の縁には、連結片部５３４の延出方向で互いに対向する状態に一対の挾持片部５３５が一連に並設されている。そして、これら挾持片部５３５間には凹部としての切り込み凹部５３６が形成されている。さらに、挾持片部５３５の互いに対向する縁には、切り込み凹部５３６の開口縁近傍に位置して互いに対向する方向に突出する挾持爪部５３７がそれぞれ設けられている。これら挾持爪部５３７間の距離は、上ケース３２０の折曲片３２２の厚さ寸法と略同寸法に形成されている。
さらに、挾持爪部５３７には、切り込み凹部５３６が開口縁側に向けて次第に拡開する状態に傾斜する案内縁５３８が設けられている。
【００２１】
そして、回路基板５０２が取り付けられた電気部品取付装置５００は、図１２に示すように、係止爪部５１４と支持板部５１１との間に下ケース３１０の正面板部３１２の上縁を挟み込み係止片部５１３が正面板部３１２のスリットにそれぞれ係合される。この係合の際、係止爪部５１４の先端に傾斜縁５１５を設けているため、正面板部３１２の上縁が傾斜縁５１５にて案内されることとなり、係止爪部５１４と支持板部５１１との間に正面板部３１２を挟み込むように電気部品取付装置５００を取り付けることが容易となる。そして、電気部品取付装置５００の支持板部５１１のねじ挿通孔５１２を介して正面板部３１２のねじ孔にねじ５４０を螺着させ、下ケース３１０に取り付けられる。この取付状態で、電気部品取付装置５００は、下ケース３１０と導通、すなわちアースされる。
さらに、電気部品取付装置５００は、図５および図１４に示すように、回路基板５０２が下ケース３１０内に配設された電子機器２１０との配線された後に上ケース３２０が下ケース３１０に取り付けられる際に、上ケース３２０の折曲片３２２が連結片部５３４の挾持爪部５３７間に挾持する状態に係合され、上ケース３２０および下ケース３１０にそれぞれ固定される。なお、挾持爪部５３７に案内縁５３８を設けているため、寸法誤差により位置ずれが生じていたり組立時の位置決めしたりする際に、折曲片３２２の下縁が案内縁５３８にて切り込み凹部５３６内に案内され、良好に連結片部５３４と上ケース３２０との連結が得られる。この取付により、この電気部品取付装置５００は、挾持爪部５３７と折曲片３２２とが導通され、アースされる。
この電気部品取付装置５００が取り付けられた筐体３００に、パネル部４１０が取り付けられ、パネル部４１０および筐体３００に取付部材４２２Ａ，４２２Ｂ，４２２Ｃを位置決め係合させて天井板４２１を取り付け、さらにパネル部４１０および筐体３００に側壁取付部材４３２を位置決め係合させて側壁部４３０を取り付け、天井板４２１および筐体３００に化粧天板４２３を取り付ける。この筐体３００にパネル部４１０、天井部４２０および側壁部４３０の組み付けによりカバー体４００が構成され、筐体３００がカバー体４００に覆われて、記録再生装置１００が構成される。
【００２２】
［電気部品取付装置の作用効果］
筐体３００の底板部３１１側がラックの載置面や床面に対向する状態に記録再生装置１００がラックや床などに載置、いわゆる平置きされて利用される。この記録再生装置１００の利用に際しては、電源を投入し、記録再生装置１００の蓋体４１１を回動させてパネル部４１０の前面を露出させる。そして、パネル部４１０の前面における上部側に位置する電子機器２１０を設定操作や動作させ、記録再生装置１００を動作させる。
この記録再生装置１００の動作の際、例えば外部機器から映像データや音声データなどを入力して記録させたり、電子機器２１０で再生される映像データや音声データなどを外部機器へ出力させたりするなどのために、利用者により、開放されたパネル部４１０のコネクタ５０１に図示しないケーブルを接続する。このケーブル接続の際、利用者はケーブルの端部の端子を把持して接続操作することとなるが、コネクタ５０１が筐体３００の上部側、すなわち載置面から離間するので、利用者の手が載置面と干渉することなく、容易に接続もしくは取り外し作業ができる。したがって、コネクタ５０１にケーブルの端子が真っ直ぐ接続あるいは取り外されることとなり、コネクタ５０１やケーブルの端子が損傷したりすることなく、適切に接続あるいは取り外しができる。
また、ケーブルの接続の際のケーブルの端子を差し込む押し込み力、あるいはケーブルを取り外す際のケーブルの端子を引き抜く引張力がコネクタ５０１を有する回路基板５０２が取り付けられた電気部品取付装置５００に作用する。これら押し込み力や引張力は、電気部品取付装置５００が上下方向における下部が下ケース３１０に取り付けられ上部が上ケース３２０に係合する状態であることから、これら下ケース３１０および上ケース３２０との取付位置の間に作用することとなる。したがって、押し込み力や引張力が電気部品取付装置５００に作用しても、電気部品取付装置５００は、押し込み力により筐体３００内側へ逃げたり、引張力により手前に引き付けられたりすることなく、筐体３００に取り付けられた状態が安定して維持される。このため、ケーブルの接続あるいは取り外しの際に、コネクタ５０１が移動するなどの不都合がなく、より確実で安定した接続および取り外しが得られ、コネクタ５０１の損傷を防止できるとともに、利用者に筐体３００の脆弱感を与えてしまう不都合を防止できる。
【００２３】
上述したように、上記実施の形態では、コネクタ５０１を搭載する回路基板５０２が取り付けられる電気部品取付部と、筐体３００の下ケース３１０の正面板部３１２の折曲位置に対する先端縁近傍に取り付けられる支持部と、上ケース３２０における上ケース３２０の底板部３１１に向けて折曲された折曲片３２２を厚さ方向で挾持する状態に折曲片３２２が挿入される切り込み凹部５３６を有した連結片部５３４とを設け、上ケース３２０および下ケース３１０のそれぞれに電気部品取付装置５００を取り付け固定する構成としている。このため、上述したように、コネクタ５０１を載置面から離間する筐体３００の上部側に取り付ける設計としても、電気部品取付装置５００は筐体３００に取り付けられた状態が安定して維持され、確実で安定した接続および取り外しが得られ、コネクタ５０１の損傷を防止できるとともに、利用者に筐体３００の脆弱感を与えてしまう不都合を防止できる。
そして、電気部品取付装置５００にて取り付ける電気部品として、コネクタ５０１を搭載した回路基板５０２としている。このため、特に利用者に操作され、ボタン式スイッチなどに比して比較的に大きな押し込み力や引き抜き力が作用するコネクタ５０１を筐体３００に配設する構成でも、確実に安定した配設状態が得られ、好適である。
また、導電性を有する鋼板にて折曲形成された筐体３００に、鋼板にて一連に折曲形成した電気部品取付装置５００を取り付ける構成としている。このため、筐体３００に取り付けることで、アースも採れ、アースのための構成や組立作業性を簡略化できる。
さらに、電気部品取付装置５００をねじ５４０にて筐体３００の正面板部３１２に取り付けている。このため、筐体３００への確実な取り付け固定および接地が得られる。
また、電気部品取付装置５００を筐体３００の上部側、すなわち載置面に対向する底板部３１１から離間する側に位置して取り付けている。このような位置では、正面板部３１２の折曲寸法となる上下方向の高さ寸法が長くなり、接続や取り外しの際の押し込み力や引き抜き力により正面板部３１２が変形し易くなるが、本実施形態では、このような位置でも電気部品取付装置５００が筐体３００に取り付けられた状態を安定維持でき、特に有効である。そして、このような載置面から操作位置が離間する位置では、上述したように、接続や取り外しの操作性がよく、利用者の使い勝手を向上できるとともに、損傷することなく良好な接続や取り外しが得られる。さらには、電気部品取付装置５００を記録再生装置１００の上下方向における上部側となる位置、すなわち底板部３１１から離間する方向側に位置して取り付けるため、ケミカルコンデンサやヒートシンクなどを有した電源装置や制御回路などの他の電子機器２１０と上下方向で重なる位置関係で取り付けでき、記録再生装置１００の前後方向の寸法を縮小設計でき、小型化を容易に図ることができる。
さらに、上ケース３２０の折曲片３２２を挾持する連結片部５３４の切り込み凹部５３６の開口縁側に案内縁５３８を設けている。このため、上述したように、寸法公差により位置ずれが生じるなどしていても、折曲片３２２が切り込み凹部５３６内に案内されることとなり、容易に組み付けできる。
【００２４】
［実施形態の変形］
上記実施形態では、電気機器として、記録再生装置１００を例示したが、例えば再生装置、記録装置、ビデオデッキ、ゲーム機器、プリメインアンプ、カーナビゲーション本体、パーソナルコンピュータなど、その他、コネクタ５０１やスイッチ、端子などを筐体３００に取り付ける構成が適用される各種電気機器を対象とすることができる。
そして、記録再生装置１００をいわゆる平置きとして利用する構成を例示したが、側面側が載置面に対向する状態に載置、いわゆる縦置きとして利用してもよい。
【００２５】
また、電気部品取付装置５００として、コネクタ５０１を搭載した回路基板５０２が取り付けられる構成を例示したが、例えばコネクタ５０１が直接取り付けられる構成としてもよい。また、コネクタ５０１に限らず、ピンジャックなどの端子、さらには各種ボタン式スイッチなどでも適用できる。
そして、電気部品取付装置５００は、保持板部５３０の一方を基板取付片５３２で段差状に折曲形成した非対称形に形成したが、それぞれ基板取付片５３２で段差状に折曲形成したり、平板状の保持板部５３０に対して基板取付片５３２を折曲形成したりしてもよい。さらには、回路基板５０２の形状に応じて適宜形成、例えば保持板部５３０を互いに対称形に形成したり、補強片５２２の代わりコネクタ保持片５２１としたり、補強片５２２を設けない構成としたりしてもよい。
さらに、電気部品取付装置５００を正面板部３１２に取り付ける構成を例示したが、例えば背面板部など、他の位置に取り付ける構成としてもよい。すなわち、背面板部や側面板部３１３などを本発明における側面部として取り付ける構成としてもよい。また、正面板部３１２の先端縁に取り付ける構成を例示したが、先端縁の位置に限らず、中間位置に設けるなどしてもよい。なお、下ケース３１０および上ケース３２０を鋼板にて一連に折曲形成したが、底板部３１１に例えば溶接などにより正面板部３１２を略垂直に形成するなどしてもよい。また、底板部３１１から正面板部３１２を折曲形成する場合に限らず、例えば側面板部３１３から略垂直に折曲して正面板部３１２に対応する側面部とするなどしてもよい。
そして、電気部品取付装置５００を下ケース３１０にねじ止めして説明したが、例えば支持板部５１１の折曲方向の長さ寸法と、係止爪部５１４の突出寸法とを長く設計し、挾持する正面板部３１２を挾持する長さ寸法を長く設定して挾持により下ケース３１０に取り付けたり、正面板部３１２のスリットの深さ寸法を深く設計するとともに、係止片部５１３の幅寸法を広く設計し、スリットに係合する係止片部５１３の幅を長くしてスリットに挾持させて下ケース３１０に取り付けたりしてもよい。
また、連結片部５３４の先端側に位置して切り込み凹部５３６を設けて説明したが、基端側に設けるなどしてもよい。
連結片部５３４に切り込み凹部５３６を切欠形成して説明したが、一対の挾持片部５３５を対向する状態に突設してこれら挾持片部５３５間に切り込み凹部５３６が構成されるようにしてもよい。挾持片部５３５を設けずスリット状に切り込み凹部５３６を設けてもよい。なお、挾持片部５３５を設けることで、案内縁５３８を設ける構成、折曲片３２２挾持する幅寸法の切り込み凹部５３６の形成が容易にできるので好ましい。
【００２６】
また、カバー体４００として、アクリル板を利用する構成を例示したが、例えば表面加工された鋼板などを用いる構成としてもよい。
そして、アクリル板あるいは非鉄金属板などの加工性の自由度があまり高くない構成として、上記実施形態のように、取付部材４２２Ａ，４２２Ｂ，４２２Ｃや側壁取付部材４３２などを用いることが有益であるが、従来のような鋼板をカバー体に用いる場合には、取付部材４２２Ａ，４２２Ｂ，４２２Ｃや側壁取付部材４３２などを用いなくてもよい。
さらに、天井部４２０として、天井板４２１と化粧天板４２３とを用いて筐体３００の上面を覆う構成としたが、例えば側壁部４３０のように化粧天板４２３を用いずに天井板４２１にて覆う構成とするなどしてもよい。
【００２７】
［実施形態の作用効果］
上記実施形態によれば、コネクタ５０１を搭載する回路基板が取り付けられる電気部品取付部と、筐体３００の下ケース３１０の正面板部３１２の折曲位置に対する先端縁近傍に取り付けられる支持部と、上ケース３２０における上ケース３２０の底板部３１１に向けて折曲された折曲片３２２を厚さ方向で挾持する状態に折曲片３２２が挿入される切り込み凹部５３６を有した連結片部５３４とを設け、上ケース３２０および下ケース３１０のそれぞれに電気部品取付装置５００を取り付け固定する構成としているため、コネクタ５０１を載置面から離間する筐体３００の上部側に取り付ける設計としても、電気部品取付装置５００は筐体３００に取り付けられた状態が安定して維持され、確実で安定した接続および取り外しが得られ、コネクタ５０１の損傷を防止できるとともに、利用者に筐体３００の脆弱感を与えてしまう不都合を防止できる。
【図面の簡単な説明】
【００２８】
【図１】従来技術における機器本体にコネクタを取り付けた状態の機器本体の正面部分を示す一部を切り欠いた斜視図である。
【図２】本発明の一実施形態に係る記録再生装置を示す斜視図である。
【図３】本実施形態における記録再生装置の分解斜視図である。
【図４】本実施形態における記録再生装置の開閉蓋体を省略した正面図である。
【図５】本実施形態における筐体の正面部分を示す一部を切り欠いた斜視図である。
【図６】本実施形態におけるパネル部が取り付けられた筐体の背面側からの視点で正面中央部分を示す一部を切り欠いた斜視図である。
【図７】本実施形態におけるカバー体の天井部を構成する中央に位置する取付部材を示す斜視図である。
【図８】本実施形態におけるカバー体の天井部を構成する一側に位置する取付部材を示す斜視図である。
【図９】本実施形態におけるカバー体の天井部を構成する他側に位置する取付部材を示す斜視図である。
【図１０】本実施形態におけるカバー体の天井部を構成する化粧天板を示す側面図である。
【図１１】本実施形態におけるカバー体の側壁部を構成する側壁取付部材を示す斜視図である。
【図１２】本実施形態における電気部品取付装置を示す斜視図である。
【図１３】本実施形態における筐体の下ケースに取り付けられた電気部品取付装置の状態における筐体の正面部分を示す一部を切り欠いた側面図である。
【図１４】本実施形態における電気部品取付装置が取り付けられた筐体の正面部分を示す一部を切り介した側面図である。
【符号の説明】
【００２９】
１００……電気機器としての記録再生装置
２１０……電子機器
３００……筐体
３０１……収容空間
３１０……下ケース
３１１……底板部
３１２……側面部としての正面板部
３１３……側面部としても機能し得る側面板部
３２０……上ケース
３２２……折曲片
５００……電気部品取付装置
５０１……接点を有する電気部品としてのコネクタ
５０２……接点を有する電気部品としての回路基板
５１１……支持部を構成する支持板部
５１４……支持部を構成する係止爪部
５３１……電気部品取付部を構成する保持片部
５３２……電気部品取付部を構成する基板取付片
５３４……連結部としての連結片部
５３６……凹部である切り込み凹部
５３８……案内縁
【図１】
2009093847.tif 000003
【図２】
2009093847.tif 000004
【図３】
2009093847.tif 000005
【図４】
2009093847.tif 000006
【図５】
2009093847.tif 000007
【図６】
2009093847.tif 000008
【図７】
2009093847.tif 000009
【図８】
2009093847.tif 000010
【図９】
2009093847.tif 000011
【図１０】
2009093847.tif 000012
【図１１】
2009093847.tif 000013
【図１２】
2009093847.tif 000014
【図１３】
2009093847.tif 000015
【図１４】
2009093847.tif 000016